(57)【要約】【課題】スキャン時の漏出光に起因する眩しさを抑制しつつ、原稿の情報をより正確に取得することが可能な画像読取装置およびそれに関連する技術を提供する。【解決手段】画像読取装置は、主走査方向におけるライン画像に基づいて当該主走査方向における原稿の存在範囲を特定する特定手段と、主走査方向に配列された複数の部分光源の点灯および消灯を原稿の存在範囲に基づいて制御する点灯制御手段とを備える。点灯制御手段は、副走査方向における第１の間隔（例えば２ライン間隔）でのライン画像の取得動作に関しては、複数の部分光源のうち、原稿の存在範囲に対応する部分光源を点灯（太い黒矢印部分参照）し当該存在範囲以外に対応する部分光源を消灯する。また、第１の間隔よりも大きな第２の間隔（例えば１０ライン間隔）でのライン画像の取得動作に関しては、当該存在範囲に依拠することなく複数の部分光源の全てを点灯する（太線部分参照）。【選択図】図９
2013042439.tif 000002
【特許請求の範囲】
【請求項１】
画像読取装置であって、
原稿を載置する原稿台と、
主走査方向に配列され互いに独立して点灯可能な複数の部分光源、を有する光源と、
前記主走査方向に配列された複数の画素を有する光電変換素子であって、前記原稿の前記主走査方向におけるライン画像を取得する光電変換素子と、
副走査方向における走査に伴って前記ライン画像の取得動作を繰り返し実行することによって、複数のライン画像を取得し前記原稿全体の画像を読み取る読取制御手段と、
前記ライン画像に基づいて前記主走査方向における前記原稿の存在範囲を特定する特定手段と、
前記存在範囲に基づいて、前記複数の部分光源の点灯および消灯を制御する点灯制御手段と、
を備え、
前記点灯制御手段は、
前記副走査方向における第１の間隔でのライン画像であり且つ前記副走査方向における第２の間隔でのライン画像ではないライン画像の取得動作に関しては、前記複数の部分光源のうち、前記存在範囲に対応する部分光源を点灯し前記存在範囲以外に対応する部分光源を消灯し、
前記第１の間隔よりも大きな前記第２の間隔でのライン画像の取得動作に関しては、前記存在範囲に依拠することなく、前記複数の部分光源の全てを点灯することを特徴とする画像読取装置。
【請求項２】
請求項１に記載の画像読取装置において、
前記第１の間隔は、本スキャン時における１本のラインの幅に相当し、
前記第２の間隔は、１よりも大きな所定本数のラインの間隔に相当することを特徴とする画像読取装置。
【請求項３】
請求項１または請求項２に記載の画像読取装置において、
前記複数の部分光源は、複数の発光素子を有することを特徴とする画像読取装置。
【請求項４】
画像読取方法であって、
ａ）主走査方向に配列され互いに独立して点灯可能な複数の部分光源、を有する光源から原稿に向けて照射された光の反射光を受光して、前記原稿の前記主走査方向におけるライン画像を取得するステップと、
ｂ）前記副走査方向における走査位置を変更しつつ前記ステップａ）を繰り返すことによって、複数のライン画像を取得し前記原稿全体の画像を読み取るステップと、
を備え、
前記ステップｂ）は、
ｂ−１）前記複数のライン画像のそれぞれに基づいて前記主走査方向における前記原稿の存在範囲を特定するステップと、
ｂ−２）前記存在範囲に基づいて前記複数の部分光源の点灯および消灯を制御するステップと、
を有し、
前記ステップｂ−２）においては、
前記副走査方向における第１の間隔でのライン画像であり且つ前記副走査方向における第２の間隔でのライン画像ではないライン画像の取得動作に関しては、前記複数の部分光源のうち、前記存在範囲に対応する部分光源を点灯し前記存在範囲以外に対応する部分光源を消灯し、
前記第１の間隔よりも大きな前記第２の間隔でのライン画像の取得動作に関しては、前記存在範囲に依拠することなく、前記複数の部分光源の全てを点灯することを特徴とする画像読取方法。
【請求項５】
画像読取装置であって、
原稿を載置する原稿台と、
主走査方向に伸延される直線状の光源、を有する光源と、
前記光源の点灯動作を制御する点灯制御手段と、
前記主走査方向に配列された複数の画素を有する光電変換素子であって、前記原稿の前記主走査方向におけるライン画像を取得する光電変換素子と、
副走査方向における走査に伴って前記ライン画像の取得動作を繰り返し実行することによって、複数のライン画像を取得し前記原稿全体の画像を読み取る読取制御手段と、
前記ライン画像に基づいて所定の条件の成否を判定する判定手段と、
を備え、
前記点灯制御手段は、
前記本スキャンに先立つプレスキャン時においては、
前記副走査方向における第１の範囲であって前記所定の条件が成立しない第１の範囲では、第１の間隔で前記光源を点灯し、
前記副走査方向における第２の範囲であって前記所定の条件が成立する第２の範囲にでは、前記第１の間隔よりも小さな第２の間隔で前記光源を点灯することを特徴とする画像読取装置。
【請求項６】
請求項５に記載の画像読取装置において、
前記所定の条件は、前記主走査方向における前記原稿の存在範囲の端部位置の変化が所定割合よりも大きいことを含むことを特徴とする画像読取装置。
【請求項７】
請求項５に記載の画像読取装置において、
前記所定の条件は、前記主走査方向における前記原稿の存在範囲の大きさの変化が所定割合よりも大きいことを含むことを特徴とする画像読取装置。
【請求項８】
請求項５に記載の画像読取装置において、
前記所定の条件は、前記主走査方向における前記原稿の存在範囲内において実質的な画像が存在すると推定される領域の割合が所定割合よりも大きいことを含むことを特徴とする画像読取装置。
【請求項９】
請求項５ないし請求項８のいずれかに記載の画像読取装置において、
前記第１の間隔は、前記本スキャン時における前記副走査方向の読取ラインピッチよりも大きいことを特徴とする画像読取装置。
【請求項１０】
画像読取方法であって、
ａ）主走査方向に伸延される直線状の光源から原稿に向けて照射された光の反射光を受光して、前記原稿の前記主走査方向におけるライン画像を取得するステップと、
ｂ）前記副走査方向における走査位置を変更しつつ前記ステップａ）を繰り返すことによって、複数のライン画像を取得し前記原稿全体の画像を読み取るステップと、
を備え、
前記ステップｂ）は、
ｂ−１）前記複数のライン画像に基づいて所定の条件の成否を判定するステップと、
ｂ−２）前記条件の成否に基づいて前記光源の点灯動作を制御するステップと、
を有し、
前記ステップｂ−２）においては、
前記副走査方向における第１の範囲であって前記所定の条件が成立しない第１の範囲では、第１の間隔で前記光源が点灯され、
前記副走査方向における第２の範囲であって前記所定の条件が成立する第２の範囲では、前記第１の間隔よりも小さな第２の間隔で前記光源が点灯されることを特徴とする画像読取方法。
【発明の詳細な説明】
【技術分野】
【０００１】
本発明は、スキャナ装置などの画像読取装置およびそれに関連する技術に関する。
【背景技術】
【０００２】
原稿台上の原稿を照明し当該原稿からの反射光を受光することによって原稿の画像を生成する画像読取装置（スキャナ装置等）において、読取対象物が分厚い本であるなどの事情により、原稿カバーを完全には閉じない状態で照明光の照射動作が行われることがある。
【０００３】
このような場合においては、照明光は、原稿台上の原稿が存在しない部分から操作者側に向けて進行し、操作者の目に入る。そのため、操作者は、非常に眩しく感じることがある。すなわち、スキャン時の漏出光に起因する眩しさが感じられることがある。
【０００４】
このような問題に対して、主走査方向において複数の発光素子が配列された光源ユニットを用い、複数の発光素子のうち、原稿の存在部分に対応する発光素子のみを点灯する技術が存在する（特許文献１等参照）。これによれば、複数の発光素子のうち、原稿の外側に対応する発光素子は消灯されるため、眩しさが低減される。
【先行技術文献】
【特許文献】
【０００５】
【特許文献１】特開２００５−３５４２０５号公報
【発明の概要】
【発明が解決しようとする課題】
【０００６】
しかしながら、上記の特許文献１に記載の技術等においては、後述するように、原稿（スキャン対象物）が複雑な形状を有する場合において、原稿の存在部分が誤判定され、原稿の一部がスキャン対象から大きく除外されてしまうことなどがある。
【０００７】
そこで、この発明の課題は、スキャン時の漏出光に起因する眩しさを抑制しつつ、原稿の情報をより正確に取得することが可能な画像読取装置およびそれに関連する技術を提供することにある。
【課題を解決するための手段】
【０００８】
上記課題を解決すべく、請求項１の発明は、画像読取装置であって、原稿を載置する原稿台と、主走査方向に配列され互いに独立して点灯可能な複数の部分光源、を有する光源と、前記主走査方向に配列された複数の画素を有する光電変換素子であって、前記原稿の前記主走査方向におけるライン画像を取得する光電変換素子と、副走査方向における走査に伴って前記ライン画像の取得動作を繰り返し実行することによって、複数のライン画像を取得し前記原稿全体の画像を読み取る読取制御手段と、前記ライン画像に基づいて前記主走査方向における前記原稿の存在範囲を特定する特定手段と、前記存在範囲に基づいて、前記複数の部分光源の点灯および消灯を制御する点灯制御手段と、を備え、前記点灯制御手段は、前記副走査方向における第１の間隔でのライン画像であり且つ前記副走査方向における第２の間隔でのライン画像ではないライン画像の取得動作に関しては、前記複数の部分光源のうち、前記存在範囲に対応する部分光源を点灯し前記存在範囲以外に対応する部分光源を消灯し、前記第１の間隔よりも大きな前記第２の間隔でのライン画像の取得動作に関しては、前記存在範囲に依拠することなく、前記複数の部分光源の全てを点灯することを特徴とする。
【０００９】
請求項２の発明は、請求項１の発明に係る画像読取装置において、前記第１の間隔は、本スキャン時における１本のラインの幅に相当し、前記第２の間隔は、１よりも大きな所定本数のラインの間隔に相当することを特徴とする。
【００１０】
請求項３の発明は、請求項１または請求項２の発明に係る画像読取装置において、前記複数の部分光源は、複数の発光素子を有することを特徴とする。
【００１１】
請求項４の発明は、画像読取方法であって、ａ）主走査方向に配列され互いに独立して点灯可能な複数の部分光源、を有する光源から原稿に向けて照射された光の反射光を受光して、前記原稿の前記主走査方向におけるライン画像を取得するステップと、ｂ）前記副走査方向における走査位置を変更しつつ前記ステップａ）を繰り返すことによって、複数のライン画像を取得し前記原稿全体の画像を読み取るステップと、を備え、前記ステップｂ）は、ｂ−１）前記複数のライン画像のそれぞれに基づいて前記主走査方向における前記原稿の存在範囲を特定するステップと、ｂ−２）前記存在範囲に基づいて前記複数の部分光源の点灯および消灯を制御するステップと、を有し、前記ステップｂ−２）においては、前記副走査方向における第１の間隔でのライン画像であり且つ前記副走査方向における第２の間隔でのライン画像ではないライン画像の取得動作に関しては、前記複数の部分光源のうち、前記存在範囲に対応する部分光源を点灯し前記存在範囲以外に対応する部分光源を消灯し、前記第１の間隔よりも大きな前記第２の間隔でのライン画像の取得動作に関しては、前記存在範囲に依拠することなく、前記複数の部分光源の全てを点灯することを特徴とする。
【００１２】
請求項５の発明は、画像読取装置であって、原稿を載置する原稿台と、主走査方向に伸延される直線状の光源、を有する光源と、前記光源の点灯動作を制御する点灯制御手段と、前記主走査方向に配列された複数の画素を有する光電変換素子であって、前記原稿の前記主走査方向におけるライン画像を取得する光電変換素子と、副走査方向における走査に伴って前記ライン画像の取得動作を繰り返し実行することによって、複数のライン画像を取得し前記原稿全体の画像を読み取る読取制御手段と、前記ライン画像に基づいて所定の条件の成否を判定する判定手段と、を備え、前記点灯制御手段は、前記本スキャンに先立つプレスキャン時においては、前記副走査方向における第１の範囲であって前記所定の条件が成立しない第１の範囲では、第１の間隔で前記光源を点灯し、前記副走査方向における第２の範囲であって前記所定の条件が成立する第２の範囲にでは、前記第１の間隔よりも小さな第２の間隔で前記光源を点灯することを特徴とする。
【００１３】
請求項６の発明は、請求項５の発明に係る画像読取装置において、前記所定の条件は、前記主走査方向における前記原稿の存在範囲の端部位置の変化が所定割合よりも大きいことを含むことを特徴とする。
【００１４】
請求項７の発明は、請求項５の発明に係る画像読取装置において、前記所定の条件は、前記主走査方向における前記原稿の存在範囲の大きさの変化が所定割合よりも大きいことを含むことを特徴とする。
【００１５】
請求項８の発明は、請求項５の発明に係る画像読取装置において、前記所定の条件は、前記主走査方向における前記原稿の存在範囲内において実質的な画像が存在すると推定される領域の割合が所定割合よりも大きいことを含むことを特徴とする。
【００１６】
請求項９の発明は、請求項５ないし請求項８のいずれかの発明に係る画像読取装置において、前記第１の間隔は、前記本スキャン時における前記副走査方向の読取ラインピッチよりも大きいことを特徴とする。
【００１７】
請求項１０の発明は、画像読取方法であって、ａ）主走査方向に伸延される直線状の光源から原稿に向けて照射された光の反射光を受光して、前記原稿の前記主走査方向におけるライン画像を取得するステップと、ｂ）前記副走査方向における走査位置を変更しつつ前記ステップａ）を繰り返すことによって、複数のライン画像を取得し前記原稿全体の画像を読み取るステップと、を備え、前記ステップｂ）は、ｂ−１）前記複数のライン画像に基づいて所定の条件の成否を判定するステップと、ｂ−２）前記条件の成否に基づいて前記光源の点灯動作を制御するステップと、を有し、前記ステップｂ−２）においては、前記副走査方向における第１の範囲であって前記所定の条件が成立しない第１の範囲では、第１の間隔で前記光源が点灯され、前記副走査方向における第２の範囲であって前記所定の条件が成立する第２の範囲では、前記第１の間隔よりも小さな第２の間隔で前記光源が点灯されることを特徴とする。
【発明の効果】
【００１８】
請求項１ないし請求項４に記載の発明によれば、複数の部分光源内の不要な点灯動作を抑制して眩しさを抑制しつつ、原稿の情報をより正確に取得することが可能である。
【００１９】
また、請求項５ないし請求項１０に記載の発明によれば、副走査方向において、所定の条件が成立する第１の範囲では比較的大きな第１の間隔での点灯動作によって眩しさを抑制しつつ、一方、所定の条件が成立しない第２の範囲では比較的小さな第２の間隔での点灯動作によって原稿の情報をより正確に取得することが可能である。
【００２０】
特に、請求項６に記載の発明によれば、主走査方向における原稿の存在範囲の端部位置に関する急激な変化が存在しない副走査方向範囲においては、比較的大きな第１の間隔での点灯動作によって眩しさを抑制しつつ、一方、当該端部位置に関する急激な変化が存在する範囲においては、比較的小さな第２の間隔での点灯動作によって原稿の情報をより正確に取得することが可能である。
【００２１】
また特に、請求項７に記載の発明によれば、主走査方向における原稿の存在範囲の大きさに関する急激な変化が存在しない第１の範囲においては、比較的大きな第１の間隔での点灯動作によって眩しさを抑制しつつ、一方、主走査方向における原稿の存在範囲の大きさに関する急激な変化が存在する第２の範囲においては、比較的小さな第２の間隔での点灯動作によって原稿の情報をより正確に取得することが可能である。
【００２２】
また特に、請求項８に記載の発明によれば、原稿内において画像の存在確率が低い部分においては、比較的大きな第１の間隔での点灯動作によって眩しさを抑制しつつ、一方、原稿内において画像の存在確率が高い部分においては、比較的小さな第２の間隔での点灯動作によって原稿の情報をより正確に取得することが可能である。
【図面の簡単な説明】
【００２３】
【図１】コピー装置の概略構成を示す図である。
【図２】画像処理部等に関するブロック図である。
【図３】コントローラの機能的構成を示すブロック図である。
【図４】第１実施形態に係る動作を示すフローチャートである。
【図５】スキャン対象の原稿がプラテンガラス（原稿載置面）上に載置されている様子を示す平面図である。
【図６】複数の副走査方向位置における複数の走査ラインを示す図である。
【図７】比較例に係るスキャン動作を示す図である。
【図８】本実施形態の動作を示す図である。
【図９】図８において細破線で囲まれる領域付近を拡大して示す図である。
【図１０】第２実施形態の動作を示すフローチャートである。
【図１１】プレスキャン動作を示す平面図である。
【図１２】第２実施形態に係るコントローラの機能的構成を示すブロック図である。
【発明を実施するための形態】
【００２４】
以下、本発明の実施形態を図面に基づいて説明する。
【００２５】
＜１．第１実施形態＞
＜１−１．構成概要＞
図１は、コピー装置１の概略構成を示す図である。コピー装置１は、スキャナ部３と印刷出力部５と画像処理部７と主制御部（コントローラ）９とを備えている。コピー装置１は、原稿の画像を読み取る機能を有していることから、画像読取装置とも称される。なお、各図においては、ＸＹＺ直交座標系を用いて方向等を示している。
【００２６】
スキャナ部３は、プラテンガラス４４（原稿台）上の所定の位置に載置された原稿を光学的に読み取って、当該原稿の画像データ（原稿画像とも称する）を生成する処理部である。
【００２７】
印刷出力部５は、印刷対象に関するデータに基づいて紙などの各種の媒体に画像を印刷出力する出力部である。印刷出力部５としては、電子写真方式あるいはインクジェット方式等の各種の方式のものを採用することができる。
【００２８】
コピー装置１は、原稿に関する画像をスキャナ部３で取得し、当該画像を印刷出力部５で印刷出力することによって、原稿のコピー（複写）機能を実現する。
【００２９】
スキャナ部３は、読取ユニット１０を有している。
【００３０】
読取ユニット１０は、ここでは縮小光学系型の読取部として構成される。読取ユニット１０は、光源１１とミラー１２（１２ａ，１２ｂ，１２ｃ）とレンズ（結像光学系）１４とイメージセンサ（撮像素子）１５とを有している。読取ユニット１０の各要素は、いずれも、透明なプラテンガラス４４（原稿の載置面）の下側に設けられている。光源１１から上方の原稿に向けて照射（出射）された光がプラテンガラス４４を透過して当該原稿で反射され、反射された光がイメージセンサ１５に到達することによって、原稿の画像が取得される。
【００３１】
また、光源１１は、複数の発光素子１１Ｅを有しており、当該複数の発光素子（複数の部分光源）１１Ｅは、主走査方向（Ｘ方向）に一次元状（直線状）に配列される発光素子列である。換言すれば、光源１１は、主走査方向に伸延される直線状の光源である。ここでは、複数の発光素子１１Ｅは、７１個のＬＥＤ（発光ダイオード）で構成される。また、複数の発光素子１１Ｅは、互いに独立して点灯可能である。
【００３２】
また、イメージセンサ１５としては、複数の受光素子（画素）が主走査方向（Ｘ方向）に一次元状（直線状）に配列されたリニアイメージセンサ（ここでは、ＣＣＤラインセンサ）が用いられる。換言すれば、イメージセンサ１５は、主走査方向に配列された複数の画素を有する光電変換素子である。当該光電変換素子によって、光源１１から原稿ＭＳに向かって出射され原稿ＭＳで反射された反射光を画像信号に変換することによって、原稿ＭＳの主走査方向における直線状の画像である「ライン画像」が取得される。
【００３３】
ここでは、イメージセンサ１５は、主走査方向に配列された７０１６個の受光素子列を有しており、プラテンガラス４４上に配置された原稿ＭＳの主走査方向における所定長さ（全長２９７ｍｍ（ミリメートル））のライン画像を取得する。これにより、各１画素幅が原稿ＭＳ上の約０．０４ｍｍ（ミリメートル）幅に相当する画像、換言すれば約６００ｄｐｉの解像度を有する画像が取得される。
【００３４】
このコピー装置１は、原稿台（詳細にはプラテンガラス４４）上に原稿を載置した状態において、片面コピーを実行することなどができる。具体的には、一旦、操作者が原稿カバー３１をコピー装置１の本体のプラテンガラス４４から上側に退避させた状態で原稿をプラテンガラス４４上に載置する。そして、操作者が再び原稿カバー３１を元の位置に戻すことによって、原稿カバー３１とプラテンガラス４４との間に原稿が挟持される。ただし、原稿（スキャン対象物）が厚みを有するもの（分厚い本等）である場合などにおいては、原稿カバー３１が元の位置にまでは戻されず、原稿カバー３１が開いた状態（原稿カバー３１が半開きの状態を含む）等において、スキャン動作が実行される。スキャン動作においては、読取ユニット１０の可動部２０ａ（後述）が、副走査方向（Ｙ方向）において原稿の一方端から他方端へと移動しつつ各副走査位置でのライン画像（Ｘ方向ライン画像）をそれぞれ取得することによって、プラテンガラス４４上に載置された原稿の２次元画像が読み取られる。
【００３５】
読取ユニット１０の光源１１は、プラテンガラス４４の下側に配置され、上方に向けて照明光を出射し、プラテンガラス４４（原稿台）に載置された原稿のスキャン対象面（下側の面）を下方より照射する。光源１１からの光は、プラテンガラス４４を透過し、原稿ＭＳのスキャン対象面で反射される。そして、当該反射光に係る光像は、ミラー１２ａ，１２ｂ，１２ｃでさらに反射され、レンズ１４を通過して縮小された後に、イメージセンサ１５で受光される。イメージセンサ１５は、用紙の幅方向（主走査方向）におけるライン画像を一度に取得する。これにより、原稿ＭＳの或る副走査方向位置（Ｙ）での直線状の画像（ライン画像）が取得される。
【００３６】
また、読取ユニット１０は、副走査方向（Ｙ方向）に移動可能な２つの可動部２０ａ，２０ｂ（可動部２０と総称する）を有して構成されている。可動部２０ａには、光源１１およびミラー１２ａが設けられており、可動部２０ｂには、ミラー１２ｂ，１２ｃが設けられている。可動部（スライダーとも称する）２０ａ，２０ｂが副走査方向（Ｙ方向）に移動することに伴って、プラテンガラス４４上に載置された原稿ＭＳの各副走査方向位置（Ｙ）での直線状の画像（ライン画像）がそれぞれ取得される。可動部２０ａ，２０ｂは、スライダ駆動部２３（モータおよびギアなどを有する駆動機構）により駆動される。なお、可動部２０ａ，２０ｂの移動の際には、可動部２０ｂが可動部２０ａの移動量の半分の距離を移動することによって、原稿からの反射光の各反射位置からイメージセンサ１５までの光路長が一定に維持される。
【００３７】
このように、読取ユニット１０の移動に伴って、副走査方向における各走査位置（各Ｙ位置）を変更しつつ、各Ｙ位置でのライン画像（直線状の画像）が取得される動作が繰り返されることによって、原稿のスキャン対象面に関する２次元の画像が取得される。換言すれば、原稿全体の画像（原稿の情報）が取得される。
【００３８】
図２は、画像処理部７等に関するブロック図である。
【００３９】
図２に示すように、画像処理部７は、Ａ／Ｄ変換部７１、シェーディング補正部７３、ガンマ変換部７５等を有している。
【００４０】
イメージセンサ（ＣＣＤラインセンサ）１５の光電変換作用により生成された画像信号（アナログ信号）は、Ａ／Ｄ変換部７１によってデジタル信号に変換される。その後、変換後の画像信号に対して、シェーディング補正部７３によりシェーディング補正等が施され、ラインメモリ８１に記憶される。ラインメモリ８１には、１ラインの画像（ライン画像）が格納される。当該ライン画像は、ガンマ変換処理等を経た後に、画像メモリ７９に格納される。なお、ガンマ変換処理においては、原稿からの反射光の受光量に関するダイナミックレンジの最大値および最小値に基づいてガンマ（γ）曲線が決定され、当該ガンマ曲線に基づいて画素値が修正される。
【００４１】
このようなライン画像の取得動作が繰り返されることによって、画像メモリ７９に、原稿のスキャン対象面に関する２次元の画像の画像データが格納される。
【００４２】
図３は、コントローラ９の機能的構成を示すブロック図である。
【００４３】
また、コントローラ９は、図３に示すように、読取動作制御部９１と原稿存在範囲特定部９３と点灯制御部９５とを有している。なお、図３は、コントローラ９の機能的構成を示すブロック図である。
【００４４】
読取動作制御部９１は、読取ユニット１０のスライダ駆動部２３の駆動動作等を制御する処理部である。読取動作制御部９１は、副走査方向における走査、具体的には、副走査方向（Ｙ方向）における可動部２０の移動に伴って、ライン画像の取得動作を繰り返し実行することによって、複数のライン画像を取得し原稿ＭＳ全体の画像を読み取る。
【００４５】
原稿存在範囲特定部９３は、当該複数のライン画像に基づいて、スキャン面内における原稿ＭＳの存在範囲を特定する処理部である。原稿存在範囲特定部９３は、当該複数のライン画像のそれぞれに基づいて、主走査方向（Ｘ方向）における原稿ＭＳの存在範囲（Ｘ方向範囲）を特定する。また、原稿存在範囲特定部９３は、当該複数のライン画像に基づいて副走査方向（Ｙ方向）における原稿ＭＳの存在範囲をも特定する。
【００４６】
点灯制御部９５は、光源１１の点灯動作、特に複数の発光素子１１Ｅのそれぞれの点灯動作（点灯および／または消灯）を制御する。点灯制御部９５は、原稿ＭＳの存在範囲等に基づいて、複数の発光素子１１Ｅのそれぞれの点灯動作を制御する。
【００４７】
ここにおいて、ライン画像内の主走査方向において、原稿ＭＳが存在する部分では光源１１からの反射光がイメージセンサ１５によって受光され、一方、原稿ＭＳが存在しない部分では光源１１からの反射光はイメージセンサ１５によって受光されない。
【００４８】
そのため、原稿ＭＳが存在しない部分（原稿ＭＳの非存在部分）に対応する画素は、所定値ＴＨ１（例えば、（２５６段階の画素値０〜２５５のうち）「２０」）より小さな画素値を有する画素（いわゆる「黒画素」あるいは「低輝度画素」）である。逆に、原稿ＭＳが存在する部分（原稿ＭＳの存在部分）に対応する画素は、所定値ＴＨ１以上の画素値を有する画素（すなわち、「非低輝度画素」）であることが多い。
【００４９】
光源１１からの反射光がイメージセンサ１５によって受光されると、このような性質を利用して原稿ＭＳの存在部分が検出される。具体的には、位置Ｙのライン画像において、「非低輝度画素」のＸ方向の存在範囲に対応する部分が、当該位置Ｙにおける原稿ＭＳのＸ方向（主走査方向）における存在部分であると判定される。詳細には、原稿ＭＳの位置ＹのＸ方向ラインにおいて、ライン画像内の複数の非低輝度画素のうち、そのＸ方向位置が最も大きな画素に対応する位置ＲＧmax（ｙ）と、そのＸ方向位置が最も小さな画素に対応する位置ＲＧmin（ｙ）との間の区間に対応する範囲が、原稿の存在部分であると判定される。位置ＲＧmax（ｙ）は、位置ｙにおける原稿ＭＳの存在部分のＸ方向の最大位置であり、位置ＲＧmin（ｙ）は、位置ｙにおける原稿ＭＳの存在部分のＸ方向の最小位置である。なお、イメージセンサ内の画素位置と実際の原稿ＭＳ内の水平位置とは、レンズの倍率等に基づいて、対応付けられ得る。
【００５０】
たとえば、位置Ｙ１２（図６参照）のライン画像においては、当該ライン画像内の複数の非低輝度画素のうち、そのＸ方向位置が最も大きな画素に対応する位置ＲＧmax（Ｙ１２）と、そのＸ方向位置が最も小さな画素に対応する位置ＲＧmin（ｙ）との間の区間が、原稿ＭＳ（図６の斜線部分）の存在部分であると判定される。
【００５１】
＜１−２．動作概要＞
次に、第１実施形態に係るスキャン動作（詳細には、本スキャン前のプレスキャン動作）について詳細に説明する。このスキャン動作においては、−Ｙ側から＋Ｙ側への可動部２０の移動に伴って、主走査方向（Ｘ方向）に伸びる各ライン画像が順次に取得される。
【００５２】
図４は、第１実施形態に係る動作を示すフローチャートである。また、図５は、スキャン対象の原稿ＭＳがプラテンガラス４４（原稿載置面）上に載置されている様子を示す図（平面図）である。図５に示すように、ここでは、矩形状の原稿ＭＳの長辺側中央部に矩形状の窪み部が設けられ、原稿ＭＳが凹形状を有している状況を想定する。図５の斜線部分は、原稿ＭＳとプラテンガラス４４（原稿載置面）との接触部分を示している。また、何らかの事情によって、原稿カバー３１は閉じられていないものとする。
【００５３】
ステップＳ１１〜ステップＳ１３においては、原稿端（−Ｙ側端）の検出動作等が行われる。図６に示すようにＹ方向区間ＳＣ１１（Ｙ０〜Ｙ１０）においては、光源１１の全ての発光素子が点灯されて、各Ｙ位置でのＸ方向ラインのライン画像が取得される。
【００５４】
ステップＳ１４〜ステップＳ１９においては、原稿の読み取り動作等が行われる。図６に示すようにＹ方向における区間ＳＣ１２（Ｙ１０〜Ｙ３０）においては、光源１１の複数の発光素子１１Ｅのうちの一部あるいは全部が点灯されて、各Ｙ位置でのＸ方向ラインのライン画像が取得される。なお、区間ＳＣ１２は、Ｙ方向（副走査方向）における原稿ＭＳの存在範囲であるとも表現される。
【００５５】
詳細には、この区間ＳＣ１２では、原則として、第１の間隔Ｖ１でのライン画像（ここでは１ラインごと（約０．０４ｍｍ）のライン画像）の取得動作に関して、複数の発光素子１１Ｅのうち、原稿の存在範囲に対応する部分光源のみが点灯される。ただし、当該第１の間隔Ｖ１よりも大きな第２の間隔Ｖ２でのライン画像（ここでは「１０」ラインごと（約０．４ｍｍごと）のライン画像）の取得動作に関しては、例外的に、原稿の存在範囲に依拠することなく、複数の発光素子１１Ｅの全てが点灯される。
【００５６】
換言すれば、副走査方向における第１の間隔Ｖ１でのライン画像であり且つ副走査方向における第２の間隔Ｖ２でのライン画像ではないライン画像の取得動作に関しては、複数の部分光源のうち、原稿の存在範囲ＸＲに対応する部分光源が点灯され存在範囲ＸＲ以外に対応する部分光源が消灯される。一方、第１の間隔Ｖ１よりも大きな第２の間隔Ｖ２でのライン画像の取得動作に関しては、原稿の存在範囲ＸＲに依拠することなく、複数の部分光源の全てが点灯される。
【００５７】
ステップＳ２１〜ステップＳ２３においては、原稿端（＋Ｙ側端）の検出後の動作等が行われる。図６に示すようにＹ方向における区間ＳＣ１３（Ｙ３０〜Ｙ４０）においては、光源１１の複数の発光素子１１Ｅのうちの全部が消灯される。ライン画像は取得されない。
【００５８】
＜１−３．動作詳細＞
このような動作についてさらに詳細に説明する。
【００５９】
まず、ステップＳ１１において、可動部２０（２０ａ，２０ｂ）の駆動（スライダー駆動）が開始され、スキャン周期（副走査方向における走査ピッチ）が「１」ラインに設定されてスキャン動作が開始される。また、光源１１の全ての発光素子が点灯されて、ライン画像の取得が開始される（ステップＳ１２）。このようなライン画像の取得動作は、副走査方向（Ｙ方向）において可動部２０が移動する際に、繰り返し実行される。これにより、各副走査方向Ｙにおいて、ライン画像が取得される。
【００６０】
ステップＳ１３では、ステップＳ１２で取得されたライン画像に基づいて、原稿ＭＳの副走査方向における一方側（−Ｙ側）の端の検出処理が実行される。当該端が検出されるまでステップＳ１２，Ｓ１３が繰り返し実行され、当該端が検出されると、ステップＳ１４に進む。
【００６１】
より具体的には、ライン画像内に「非低輝度画素」が数画素（例えば２画素）以上検出されると、原稿ＭＳの−Ｙ側の端が検出されたと判定される。なお、ステップＳ１１の開始前に位置ＲＧmax（ｙ）および位置ＲＧmin（ｙ）がそれぞれ同一の初期値「０」を有するように初期化されている場合には、ステップＳ１２で得られたライン画像に基づいて新たな２つの値ＲＧmax（ｙ），ＲＧmin（ｙ）が算出され、当該２つの値の相互間に、ＲＧmax（ｙ）＞ＲＧmin（ｙ）、の新たな関係が生じることは、「非低輝度画素」が検出されることと略等価である。そのため、当該関係の発生に応じて、原稿ＭＳの−Ｙ側の端が検出された旨を判定することができる。
【００６２】
このような検出動作によって、たとえば、図６に示すように、副走査方向の位置Ｙ１０において主走査方向の位置Ｘ１０の付近に原稿端（−Ｙ側端）が存在することが検出される。
【００６３】
つぎに、ステップＳ１４においては、位置ｙにおける原稿ＭＳのＸ方向（主走査方向）における存在部分が特定される。詳細には、最大位置ＲＧmax（ｙ）と最小位置ＲＧmin（ｙ）との間の区間に対応するＸ方向範囲ＸＲ（ｙ）が、Ｘ方向における原稿の存在部分であると判定される。たとえば、図６に示すように、位置Ｙ１２においては、最大位置ＲＧmax（Ｙ１２）と最小位置ＲＧmin（Ｙ１２）との間の区間に対応するＸ方向範囲ＸＲ（Ｙ１２）が、Ｘ方向における原稿の存在部分であると判定される。その他の各位置ｙについても同様にして原稿の存在範囲ＸＲ（ｙ）が特定される。また、特定された存在部分ＸＲ（ｙ）の情報（最大位置ＲＧmax（ｙ）および最小位置ＲＧmin（ｙ）等）は、コントローラ９内の記憶部（メモリ等）に格納される。当該情報等に基づいて原稿ＭＳの外形情報が構成される。
【００６４】
次のステップＳ１５については後に説明する。ここでは、まず、常にステップＳ１４からステップＳ１６に進むものとして説明する。
【００６５】
ステップＳ１６においては、ステップＳ１４で検出された原稿の存在範囲ＸＲ（ｙ）に基づいて、次以降の読取ライン（ここでは、次の読取ライン）（新たな読取位置ｙ）に関する複数の発光素子１１Ｅの点灯範囲を決定する。具体的には、式（１）に基づいて、Ｘ方向に配列される複数の発光素子１１Ｅのうちの点灯範囲の最大位置Ｌmax（ｙ）が決定される。
【００６６】
【数１】
2013042439.tif 000003
【００６７】
また、同様に、式（２）に基づいて、Ｘ方向に配列される複数の発光素子１１Ｅのうちの点灯範囲の最小位置Ｌmin（ｙ）が決定される。
【００６８】
【数２】
2013042439.tif 000004
【００６９】
ここでは、各発光素子１１ＥのＸ方向における配置ピッチが１００画素幅に相当するものとする。また、複数の発光素子１１Ｅの点灯範囲は、原稿の存在範囲ＸＲ（ｙ）を含む範囲、詳細には、原稿の存在範囲ＸＲ（ｙ）に対して、＋Ｘ側および−Ｘ側にそれぞれ発光素子ΔＬ個分（ここでは２個分）ずつ余裕幅を設けた範囲に設定される。なお、これにより、Ｙ方向への移動に伴う原稿領域ＸＲ（ｙ）の緩やかな変動に対応することが可能である。たとえば、Ｙ方向への移動に伴って原稿幅が徐々に拡張されていく場合にも、拡張部分をも照明して、当該拡張部分の原稿の情報を正確に取得することが可能である。
【００７０】
なお、式（１）および式（２）で算出された値は、それぞれ、発光素子の実在範囲に応じて調整（修正）される。たとえば、式（２）で算出された値Ｌmin（ｙ）が、最も−Ｘ側の発光素子位置よりも小さくなる場合には、値Ｌmin（ｙ）は、最も−Ｘ側の発光素子位置に修正されればよい。同様に、式（１）で算出された値Ｌmax（ｙ）が、最も＋Ｘ側の発光素子位置よりも大きくなる場合には、値Ｌmax（ｙ）は、最も＋Ｘ側の発光素子位置に修正されればよい。
【００７１】
このようにして、値Ｌmax（ｙ）および値Ｌmin（ｙ）が、それぞれ、位置ｙごとに定められる。
【００７２】
そして、ステップＳ１７において、複数の発光素子１１Ｅのうち、原稿の存在範囲ＸＲ（ｙ）に対応する発光素子が点灯される。具体的には、Ｘ方向において、位置Ｌmin（ｙ）から位置Ｌmax（ｙ）までの１または複数の発光素子１１Ｅが点灯される。
【００７３】
次のステップＳ１９では、ステップＳ１７（もしくはステップＳ１８（後述））で取得されたライン画像に基づいて、原稿ＭＳの副走査方向における他方側（＋Ｙ側）の端の検出処理が実行される。
【００７４】
たとえば、ライン画像内における「非低輝度画素」の検出数が数画素未満になると、原稿ＭＳの＋Ｙ側の端が検出されたと判定される。
【００７５】
なお、「非低輝度画素」が検出されない場合に値ＲＧmax（ｙ）および値ＲＧmin（ｙ）がそれぞれ初期値「０」にリセットされるときには、当該２つの値の相互間に、ＲＧmax（ｙ）＝ＲＧmin（ｙ）（＝０）、の関係が発生したことに応じて、原稿ＭＳの＋Ｙ側の端が検出されたと判定されればよい。
【００７６】
このような動作（ステップＳ１４〜ステップＳ１９）は、原稿の＋Ｙ側端がステップＳ１９で検出されるまで、副走査位置の変更を伴いつつ繰り返し実行される。
【００７７】
以上のように、区間ＳＣ１２（図６）では、原則として、第１の間隔Ｖ１でのライン画像（ここでは１ラインごとのライン画像）の取得動作に関して、複数の発光素子１１Ｅのうち、原稿の存在範囲に対応する部分光源のみが点灯される。
【００７８】
図６においては、幾つかの読取位置Ｙ（Ｙ０，...，Ｙ１０，...，Ｙ２０，...，Ｙ３０等）における読取ライン（主走査方向に伸びる直線）等が示されている。また、図７においては、区間ＳＣ１２内の各読取ライン（ライン画像）の読み取り時における光源１１の点灯範囲が、太い矢印付き直線で示されている。詳細には、各読取ラインにおける発光素子の点灯範囲は、太い破線矢印と太い実線矢印部分とを合わせた部分として示されている。太い破線矢印で示される範囲は、ステップＳ１４で特定された原稿の存在範囲ＸＲに対応する範囲であり、当該太い破線矢印の上側と下側とにそれぞれ示される各実線矢印部分は、ステップＳ１６で考慮された上述の余裕幅（発光素子２個分の余裕幅）ΔＬに対応する範囲である。
【００７９】
上述のように、ステップＳ１４，Ｓ１６において、各ライン画像を解析して得られた原稿の存在範囲に基づいて、次以降の読取ライン（ここでは、次のライン）に関するランプ点灯範囲が決定される。図７では、図示の都合上、次の読取ラインに関するランプ点灯範囲が元の読取ラインに重ねて示されている。なお、ここでは、「次以降のライン」として「次のライン」を例示するが、これに限定されず、次の次のライン等であってもよい。
【００８０】
このような技術によれば、原稿ＭＳが比較的単純な形状を有する場合には、複数の発光素子１１Ｅを部分的に点灯すること（すなわち、光源１１の点灯範囲を制限する）ことによって、眩しさを抑えつつ、良好なスキャン画像を得ることが可能である。換言すれば、区間ＳＣ１２での各ラインのライン画像の読取動作において常に複数の部分光源のうち原稿の存在範囲に対応する部分光源を点灯し当該存在範囲以外に対応する部分光源を消灯する技術（「比較例」に係る技術とも称する）によっても、原稿ＭＳが比較的単純な形状を有する場合には、眩しさを抑えつつ良好なスキャン画像を得ることが可能である。
【００８１】
しかしながら、たとえば、原稿ＭＳが比較的複雑な形状を有する場合（図５〜図７参照）には、次のような事情によって、原稿ＭＳの一部を読み取ることができないことがある。図６および図７においては、原稿凹部付近のクロスハッチングを付した突出部分ＰＲが、原稿ＭＳ内において読み取れない部分である。
【００８２】
詳細には、図７に示すように、位置Ｙ２０の読取ラインでは、Ｘ方向における位置Ｘ２０ａ（＝ＲＧmin（Ｙ２０））とＸ２０ｂ（＝ＲＧmax（Ｙ２０））との間の範囲が原稿の存在位置であると判定され、光源１１の点灯範囲は、当該存在範囲と余裕幅とを合わせた範囲に設定される。また、位置Ｙ２５の読取ラインにおいては、Ｘ方向において、位置Ｘ２５ａとＸ２５ｂとの間の範囲が原稿の存在位置であると判定され、光源１１の点灯範囲は、当該存在範囲と余裕幅とを合わせた範囲に設定される。
【００８３】
ライン画像の読取動作が副走査方向（Ｙ方向）において位置Ｙ２０から位置Ｙ２５まで１ラインごとに進行する際には、光源１１の点灯範囲の−Ｘ側（図７では上側）は、原稿ＭＳの凹部の底部の端部ＥＧａ付近までであり、突出部分ＰＲは点灯範囲から外れる。そのため、突出部分ＰＲには光が照射されず、当該突出部分ＰＲのライン画像を良好に得ることができない。
【００８４】
このように、区間ＳＣ１２での各ラインのライン画像の読取動作において、常に複数の部分光源のうち原稿の存在範囲（原稿内領域とも称する）に対応する部分光源を点灯し当該存在範囲以外（原稿外領域とも称する）に対応する部分光源を消灯する技術（「比較例」に係る技術）では、当該突出部分ＰＲの画像を読み取ることができない。すなわち、原稿外領域にて常に消灯される技術を用いる場合には、原稿外領域であると判断された部分に存在する突出部分ＰＲを検出することが困難である。
【００８５】
そこで、この実施形態（特に、図４のステップＳ１５，Ｓ１８参照）においては、当該第１の間隔Ｖ１よりも大きな第２の間隔Ｖ２でのライン画像（ここでは「１０」ラインごとのライン画像）の取得動作に関しては、例外的に、原稿の存在範囲に依拠することなく、複数の発光素子１１Ｅの全てを点灯する。なお、その他のライン（１０本中９本のライン）に関するライン画像の取得動作においては、原則通り、上記比較例と同様に、複数の発光素子１１Ｅのうち、原稿ＭＳの存在範囲であると判定されたＸ方向範囲に対応する発光素子（余裕幅ΔＬの発光素子を含む）を点灯し、それ以外の発光素子を消灯する。
【００８６】
具体的には、ステップＳ１５の分岐処理においては、所定本数（ここでは１０本）のラインに関するライン画像が取得されるごとに、例外的にステップＳ１５からステップＳ１８に進み、それ以外のときには原則通りステップＳ１５からステップＳ１６に進む。換言すれば、前回の全点灯タイミングから１０本経過するごとに例外的にステップＳ１８に進み、それ以外の９本のライン画像の取得時には、原則通りステップＳ１６に進む。このように、副走査方向（Ｙ方向）に進行しつつ各副走査方向位置（Ｙ位置）でライン画像を取得する動作において、ライン数が所定数（ここでは１０本）に到達するごとに、例外的に、ステップＳ１８に進む。
【００８７】
そして、ステップＳ１６においては、部分点灯動作（複数の発光素子を部分的に点灯する動作）を伴うライン画像の取得動作が行われ、ステップＳ１８においては、全点灯動作（複数の発光素子の全てを点灯する動作）を伴うライン画像の取得動作が行われる。
【００８８】
これによれば、或る主走査方向ライン（Ｘ方向ライン）に関して、その直前の主走査方向ライン内において原稿存在範囲であると判定されていた部分（Ｘ方向の部分領域）から＋Ｘ側あるいは−Ｘ側に離れた部分（突出部分ＰＲ等）をも、原稿の存在範囲として正確に判定することができる。
【００８９】
図８および図９は、このような態様を示す図である。図８は、図７と同様の図であるが、本実施形態の動作を反映している点で相違する。また、図９は、図８において細破線で囲まれる矩形領域付近を拡大して示す図である。また、各図では、発光素子の点灯範囲が太線（太い実線および太い破線）で示されている。
【００９０】
図９に示すように、位置Ｙ２０（図８参照）付近の或る副走査方向位置Ｙ（ｊ）における主走査方向ラインの直前の位置Ｙ（ｊ−９）のラインから位置Ｙ（ｊ−１）のラインまでの９本のラインのライン画像取得時には、複数の発光素子１１Ｅのうち、原稿ＭＳの存在範囲であると判定されたＸ方向範囲に対応する発光素子のみが点灯される。
【００９１】
そして、位置Ｙ（ｊ−１）のラインの次の位置Ｙ（ｊ）における主走査方向ラインのライン画像取得時には、複数の発光素子１１Ｅが全て点灯される（図の太線参照）。
【００９２】
その後、次の位置Ｙ（ｊ＋１）のラインから位置Ｙ（ｊ＋９）のラインまでの９本のラインのライン画像取得時には、複数の発光素子１１Ｅのうち、原稿ＭＳの存在範囲であると判定されたＸ方向範囲に対応する発光素子のみが点灯される。
【００９３】
また、次の副走査方向位置Ｙ（ｊ＋１０）における主走査ラインのライン画像取得時には、複数の発光素子１１Ｅが再び全て点灯される（図の太線参照）。
【００９４】
その後、次の位置Ｙ（ｊ＋１１）のラインから位置Ｙ（ｊ＋１９）のラインまでの９本のラインのライン画像取得時には、複数の発光素子１１Ｅのうち、原稿ＭＳの存在範囲であると判定されたＸ方向範囲に対応する発光素子のみが点灯される。
【００９５】
このような動作が繰り返し実行される。
【００９６】
より具体的には、このような動作に伴って、図９に示すように、位置Ｙ（ｊ＋２０）に至るまでの複数本の主走査方向ライン（図では縦方向ライン）に関しては、原稿ＭＳにおける凹部の底部側の端部（図の下側端部）ＥＧａが原稿の存在範囲の−Ｘ側端であると判定される。なお、そのため、複数の発光素子１１Ｅのうちの点灯範囲は、−Ｘ側においては当該端部ＥＧａ付近までしか及ばない。ただし、原稿ＭＳが存在しない凹部に対応する発光素子が消灯されることによって、眩しさが抑制される。
【００９７】
一方、位置Ｙ（ｊ＋２０）における全点灯動作（全発光素子を点灯する動作）によれば、位置Ｘ２５ｃ付近をも含めて光が照射されるので、当該全点灯動作に応じて取得されたライン画像においては、新たに位置Ｘ２５ｃ付近の原稿ＭＳの一部が認識される。その結果、当該ライン画像における原稿の存在範囲の−Ｘ端側は、原稿ＭＳにおける凹部の上部側の端部（図の上側端部）ＥＧｃであると判定される。その結果、次の読取ラインに関する光源の点灯範囲が拡張され、当該点灯範囲の−Ｘ側は、端部ＥＧａ付近から位置Ｘ２５ｃ付近へと変更される。
【００９８】
そして、次の位置Ｙ（ｊ＋２１）における部分点灯動作（複数の発光素子を部分的に点灯する動作）においても、位置Ｘ２５ｃ付近までの原稿領域が正確に認識される。
【００９９】
同様にして、可動部２０の副走査方向の移動に伴って、位置Ｙ（ｊ＋２２）〜位置Ｙ（ｊ＋２９）の各副走査位置におけるライン画像の取得動作が順次に実行される。
【０１００】
位置Ｙ（ｊ＋３０）においては、再び全点灯動作によるライン画像の取得が行われる。その後、位置Ｙ（ｊ＋３１）〜位置Ｙ（ｊ＋３９）の各副走査位置においては、部分点灯動作によるライン画像の取得動作が順次に実行される。
【０１０１】
以後、同様にして、可動部２０の副走査方向の移動に伴って、各副走査位置における複数のライン画像の取得動作が順次に実行される。
【０１０２】
このような動作によれば、複数の部分光源１１Ｅ内の不要な点灯動作を抑制しつつ、突出部分ＰＲをも原稿の存在範囲として正確に判定することができる。より詳細には、原稿外領域であると判断されて消灯されたＸ方向範囲においても、副走査方向における所定ライン数ごとのラインでは全点灯動作（全発光素子を点灯する動作）が行われるので、そのまま消灯されていれば原稿領域外と判断されてしまう突出部分ＰＲをも原稿の存在範囲として正確に判定することができる。また、副走査方向における所定ライン数ごとのライン以外のラインに関しては、原稿内領域に対応する発光素子のみが点灯されるので、主走査方向における点灯範囲を最低限に抑えて、（操作者の）眩しさを抑制することができる。
【０１０３】
このように、原稿カバーが完全には閉じられない場合等においてもスキャン時の漏出光に起因する眩しさを抑制しつつ、原稿の情報（詳細には原稿の外形情報等）をより正確に取得することが可能である。
【０１０４】
その後、ステップＳ１９において、原稿ＭＳの副走査方向における他方側（＋Ｙ側）の端が検出されると、ステップＳ１９からステップＳ２１に進む。
【０１０５】
ステップＳ２１においては、複数の発光素子１１Ｅの全てが消灯される。以後、可動部２０の副走査方向における移動動作が継続され、可動部２０が（＋Ｙ側の）所定の端位置にまで移動すると、スキャン動作（プレスキャン動作）が終了する。スキャン動作の終了がステップＳ２２で検出されると、ステップＳ２３に進む。
【０１０６】
そして、ステップＳ２３において、原稿の外形が確定されるとともに、本スキャン用の各種パラメータ（カラースキャン／モノクロスキャン、反射率ダイナミックレンジ等）が決定される。なお、次述するように、原稿の外形の情報も本スキャン時に利用される。
【０１０７】
以上のようにして、プレスキャン動作が行われる。
【０１０８】
また、その後、原稿の外形の情報等を利用して、本スキャン動作が実行される。
【０１０９】
本スキャン動作時においては、プレスキャン時に取得された原稿外形情報に基づいて、複数の発光素子に関する点灯範囲が決定される。具体的には、副走査方向（Ｙ方向）の各位置において、原稿の存在範囲（Ｘ方向範囲）に対応する位置の発光素子が点灯される。本スキャン動作時においては、既にプレスキャン時に原稿外形が取得されているので、所定本数ラインおきに複数の発光素子１１Ｅを全点灯することを要しない。
【０１１０】
なお、ここでは、プレスキャン動作に本願発明の思想を適用する場合を例示しているが、これに限定されない。たとえば、本スキャン動作に当該思想を適用するようにしてもよい。具体的には、プレスキャンを行わずに本スキャンを行う場合において、当該本スキャン動作に上記の思想を適用するようにしてもよい。この場合、第１の間隔Ｖ１として「１」が採用されればよい。また、この場合には、本スキャン時に取得された画像に基づいて、画像の色（カラー／モノクロ）、原稿の反射率ダイナミックレンジ等が決定されればよい。また、本スキャン時に取得された原稿外形情報等に基づいて、トリミングが行われることが好ましい。
【０１１１】
＜２．第２実施形態＞
次に第２実施形態について説明する。第２実施形態は第１実施形態と類似しており、以下では、第１実施形態との相違点を中心に説明する。
【０１１２】
ところで、上記第１実施形態においては、副走査方向の全ラインにおいてライン画像の読取動作が行われる場合が例示されているが、原稿全体の画像（換言すれば、原稿の情報）を取得するに際しては必ずしも全ラインのライン画像を取得することを要しない。
【０１１３】
たとえば、所定本数ＮＬ（値ＮＬは、１より大きな整数（たとえば「１０」））のラインごとにライン画像を取得するスキャン動作（いわゆる間引きスキャン）を行い、原稿の−Ｘ側端位置および＋Ｘ側端位置を取得することなどによって、原稿の情報（外形情報等）を取得することもできる。
【０１１４】
ただし、この場合においてライン本数ＮＬ（すなわち間引き間隔）を大きく設定し過ぎると、副走査方向への移動に伴う原稿形状等の変化を精度良く取得することができないという問題が存在する。
【０１１５】
そこで、この第２実施形態では、本スキャンに先立つプレスキャン時において「間引きスキャン」を行うに際して、その間引き間隔（スキャン間隔）を、原稿端部の検出状況等に関する所定の条件（ライン画像に基づく条件）の成否に応じて、変更する技術を例示する。なお、この第２実施形態では、第１実施形態とは異なり、読取対象ラインの読取時には常に複数の発光素子１１Ｅが全て点灯（全点灯）されるものとする。
【０１１６】
より具体的には、所定の条件が成立しない「副走査方向の第１の部分（範囲）」においては、基本間隔Ｖ２０（たとえば、走査ライン１本分の間隔）よりも大きな第１の間隔Ｖ２１（たとえば、走査ライン１０本分の間隔）で光源１１が点灯（全点灯）される。すなわち、比較的大きな間引き間隔Ｖ２１でスキャン動作が実行される。なお、当該第１の部分におけるその他のライン（ここでは１０本中９本のライン）に関しては、複数の発光素子１１Ｅは全て消灯されスキャン動作は行われない。
【０１１７】
一方、当該所定の条件が成立する「副走査方向の第２の部分（範囲）」においては、第１の間隔Ｖ２１よりも小さな第２の間隔Ｖ２２（たとえば、走査ライン２本分の間隔）で光源１１が点灯（全点灯）される。すなわち、比較的小さな間引き間隔Ｖ２２でスキャン動作が実行される。なお、第２の間隔Ｖ２２は、基本間隔Ｖ２０以上の値である。また、当該第２の部分におけるその他のライン（ここでは２本中１本のライン）に関しては、複数の発光素子１１Ｅは全て消灯されスキャン動作は行われない。
【０１１８】
なお、その後の本スキャン時においては、副走査方向における基本間隔Ｖ２０（読取ラインピッチ）での走査に伴ってライン画像の取得動作を繰り返し実行することによって、複数のライン画像が取得され原稿全体の画像が読み取られればよい。ただし、これに限定されず、本スキャン時においては、複数の発光素子１１Ｅのうち、原稿の存在部分に対応する発光素子が選択的に点灯され、原稿の存在部分が部分的に照明されるようにしてもよい。これによれば、本スキャン時における眩しさをさらに低減することが可能である。
【０１１９】
また、この第２実施形態においては、所定の条件として、３つの条件Ｃ１，Ｃ２，Ｃ３を例示する。
【０１２０】
条件Ｃ１は、原稿の存在範囲ＸＲ（Ｘ方向範囲）の端部位置の変化が所定割合よりも大きいこと、である。
【０１２１】
具体的には、まず、式（３）に示すように、原稿の存在範囲ＸＲの−Ｘ側端部位置ＲＧminの変化（Ｙ方向における微小距離ΔＹあたりの変化）を表す値（ＲＧmin（ｙ）−ＲＧmin（ｙ−ΔＹ））（詳細にはその絶対値）が所定値ＴＨ３１よりも大きいこと、である。
【０１２２】
【数３】
2013042439.tif 000005
【０１２３】
あるいは、式（４）に示すように、原稿の存在範囲ＸＲの＋Ｘ側端部位置ＲＧmaxの変化を表す値（ＲＧmax（ｙ）−ＲＧmax（ｙ−ΔＹ））（詳細にはその絶対値）が所定値ＴＨ３１よりも大きいこと、である。
【０１２４】
【数４】
2013042439.tif 000006
【０１２５】
式（３）および式（４）の少なくとも一方の関係が成立するときには、条件Ｃ１が成立すると判断される。なお、値ΔＹは、適宜の値（たとえば「１０」）に設定されればよい。
【０１２６】
条件Ｃ２は、原稿の存在範囲ＸＲの大きさ（幅）の変化（微小距離ΔＹあたりの変化）が所定割合よりも大きいこと、である。具体的には、式（５）に示すように、原稿の存在範囲の大きさ（幅）を表す値、（ＲＧmax（ｙ）−ＲＧmin（ｙ））−（ＲＧmax（ｙ−ΔＹ）−ＲＧmin（ｙ−ΔＹ））（詳細にはその絶対値）が、所定値ＴＨ３３よりも大きいこと、である。
【０１２７】
【数５】
2013042439.tif 000007
【０１２８】
条件Ｃ３は、原稿の存在範囲ＸＲ内において実質的な画像（たとえば、図形および写真等）が存在すると推定される領域の割合が所定割合よりも大きいこと、である。より具体的には、条件Ｃ３は、式（６）に示すように、原稿の存在範囲ＸＲ（Ｘ方向範囲）内において、その画素値が所定値ＴＨ２（例えば、（２５６段階の画素値０〜２５５のうち）「１８０」）より小さな画素（「非高輝度画素」とも称される）の割合が、所定割合（たとえば５０％）よりも大きいこと、である。換言すれば、条件Ｃ３は、原稿の存在範囲（Ｘ方向範囲）内において、その反射率（画素値）が所定値ＴＨ２より小さな画素の割合が、所定割合よりも大きいこと、である。
【０１２９】
【数６】
2013042439.tif 000008
【０１３０】
ここで、値ＮＴは、主走査方向（Ｘ方向範囲）における原稿の存在範囲ＸＲ（ｙ）内の画素数を表す。また、値ＮＳは、原稿の存在範囲ＸＲ（ｙ）内において、その画素値が所定値ＴＨ２より小さな画素（非高輝度画素）の画素数を表す。
【０１３１】
一般に、白色原稿等における無地部分のライン画像には多数の「高輝度画素」が存在し、逆に、原稿内の実質的な画像領域ＡＰ（換言すれば、「非」無地部分）のライン画像には多数の「非」高輝度画素が存在する。なお、画像領域ＡＰは、写真および／または図表等の実質的な画像の存在領域である。
【０１３２】
そこで、式（６）が成立する場合（換言すれば、原稿の存在範囲ＸＲ（ｙ）内における非高輝度画素の存在割合が所定値以上である場合）には、走査ラインが画像領域ＡＰ上を通過しているものと判断する。
【０１３３】
図１０は、第２実施形態の動作を示すフローチャートである。以下、図１０を参照しながら、当該動作について説明する。
【０１３４】
まず、ステップＳ５１において、可動部２０（２０ａ，２０ｂ）の駆動が開始され、スキャン周期が「２」ラインに設定されてスキャン動作が開始される。具体的には、光源１１の全ての発光素子が点灯されて、ライン画像の取得が開始される（ステップＳ５２）。このようなライン画像の取得動作は、副走査方向（Ｙ方向）において可動部２０が移動しつつ繰り返し実行される。これにより、各副走査方向Ｙにおいて、ライン画像が取得される。
【０１３５】
ステップＳ５３では、ステップＳ５２で取得されたライン画像に基づいて、原稿ＭＳの副走査方向における一方側（−Ｙ側）の端の検出処理が実行される。当該端が検出されるまでステップＳ５２，Ｓ５３が繰り返し実行され、当該端（−Ｙ側端）が検出されると、ステップＳ５４に進む。
【０１３６】
このような検出動作によって、たとえば、図１１に示すように、副走査方向の位置Ｙ５０においては、主走査方向の位置Ｘ５０付近に原稿が存在することが検出される。
【０１３７】
つぎに、ステップＳ５４においては、位置ｙにおける原稿ＭＳのＸ方向（主走査方向）における存在部分が特定される。詳細には、最大位置ＲＧmax（ｙ）と最小位置ＲＧmin（ｙ）との間の区間に対応するＸ方向範囲ＸＲ（ｙ）が、Ｘ方向における原稿の存在部分であると判定される。また、特定された存在部分ＸＲ（ｙ）の情報（最大位置ＲＧmax（ｙ）および最小位置ＲＧmin（ｙ）等）は、コントローラ９内の記憶部（メモリ等）に格納される。当該情報等に基づいて原稿ＭＳの外形情報が構成される。
【０１３８】
また、ステップＳ５５，Ｓ５６，Ｓ５７においては、それぞれ、条件Ｃ１，Ｃ２，Ｃ３が成立するか否かが各ライン画像に基づいて判定される。これらの判定動作は、第２実施形態に係るコントローラ９（９Ｂ）に設けられた判定部９７（図１２参照）により実行される。
【０１３９】
条件Ｃ１，Ｃ２，Ｃ３のいずれもが成立しないときにはステップＳ５８に進み、条件Ｃ１，Ｃ２，Ｃ３のいずれかが成立するときにはステップＳ５９に進む。ステップＳ５８では、光源１１の点灯周期が「１０」ラインに設定され、ステップＳ５９では、光源１１の点灯周期が「２」ラインに設定される。
【０１４０】
ステップＳ５８，Ｓ５９の後においては、ステップＳ６１に進み、取得されたライン画像に基づいて、原稿ＭＳの副走査方向における他方側（＋Ｙ側）の端の検出処理が実行される。
【０１４１】
このような動作（ステップＳ５４〜ステップＳ６１）は、原稿の＋Ｙ側端がステップＳ６１で検出されるまで繰り返し実行される。また、最初は、条件Ｃ１，Ｃ２，Ｃ３のいずれも成立しないことが多く、ステップＳ５７に進み、光源１１の点灯周期が「１０」ラインに設定される。「副走査方向」における原稿の存在範囲（−Ｙ側端〜＋Ｙ側端）においては、原則として、比較的広い間隔Ｖ２１（「１０」ライン間隔）でスキャン動作が実行される。一方、条件Ｃ１，Ｃ２，Ｃ３のいずれかが成立すると、例外的に、比較的狭い間隔Ｖ２２（「２」ライン間隔）でスキャン動作が実行される。これによれば、種々の状況に応じてスキャン間隔が変更されるので、原稿の外形画像を良好に取得することが可能である。
【０１４２】
その後、ステップＳ６１において、原稿ＭＳの副走査方向における他方側（＋Ｙ側）の端が検出されると、ステップＳ６１からステップＳ６２に進む。
【０１４３】
ステップＳ６２，Ｓ６３，Ｓ６４においては、それぞれ、ステップＳ２１，Ｓ２２，Ｓ２３（図４）と同様の動作が実行される。
【０１４４】
以上のようにして、プレスキャン動作が実行される。
【０１４５】
図１１は、このようなプレスキャン動作を示す図である。なお、図１１の原稿ＭＳも、図５〜図８の原稿ＭＳと同様に、中央上側（−Ｘ側）に凹部を有する。また、図１１の原稿ＭＳは、画像領域ＡＰを右側（＋Ｙ側）に有している。ここでは、原稿ＭＳ内において、画像領域ＡＰ以外の領域は無地（例えば白地）である場合を想定する。
【０１４６】
副走査方向における最初の範囲ＹＲＡにおいては、原稿端が未だ検出されず、点灯周期は「２」に設定されたままで、プレスキャンが実行される。
【０１４７】
次の範囲ＹＲＢにおいては、式（４）が成立して条件Ｃ１が成立する。すなわち、原稿の存在範囲の＋Ｘ側端部位置の変化が所定割合よりも大きい旨が判定される。そして、光源１１の点灯周期が「２」（ライン）に設定され、スキャン動作が実行される。
【０１４８】
その後、範囲ＹＲＣにおいては、条件Ｃ１，Ｃ２，Ｃ３のいずれもが成立しないので、光源１１の点灯周期が「１０」（ライン）に設定されてスキャン動作が実行される。
【０１４９】
次の範囲ＹＲＤにおいては、式（５）が成立して条件Ｃ２が成立する。すなわち、原稿の存在範囲の大きさ（幅）の変化が所定割合よりも大きい旨が判定される。そして、光源１１の点灯周期が「２」（ライン）に設定されてスキャン動作が実行される。
【０１５０】
次の範囲ＹＲＥにおいては、再び、条件Ｃ１，Ｃ２，Ｃ３のいずれもが成立せず、光源１１の点灯周期が「１０」（ライン）に設定されてスキャン動作が実行される。
【０１５１】
次の範囲ＹＲＦにおいては、再び、式（５）が成立して条件Ｃ２が成立する。すなわち、原稿の存在範囲の大きさ（幅）の変化が所定割合よりも大きい旨が判定される。そして、光源１１の点灯周期が「２」（ライン）に設定されてスキャン動作が実行される。
【０１５２】
次の範囲ＹＲＧにおいては、再び、条件Ｃ１，Ｃ２，Ｃ３のいずれもが成立せず、光源１１の点灯周期が「１０」（ライン）に設定されてスキャン動作が実行される。
【０１５３】
次の範囲ＹＲＨにおいては、今度は式（６）が成立して条件Ｃ３が成立する。すなわち、原稿の存在範囲内において実質的な画像が存在すると推定される領域の割合が所定割合よりも大きい旨が判定される。そして、光源１１の点灯周期が「２」（ライン）に設定されてスキャン動作が実行される。
【０１５４】
次の範囲ＹＲＩにおいては、再び、条件Ｃ１，Ｃ２，Ｃ３のいずれもが成立せず、光源１１の点灯周期が「１０」（ライン）に設定されてスキャン動作が実行される。
【０１５５】
次の範囲ＹＲＪにおいては、今度は、式（３）が成立して条件Ｃ１が成立する。すなわち、原稿の存在範囲の−Ｘ側端部位置の変化が所定割合よりも大きい旨が判定される。そして、光源１１の点灯周期が「２」（ライン）に設定されてスキャン動作が実行される。
【０１５６】
その後、原稿の＋Ｙ側端が検出され、範囲ＹＲＫにおいては光源１１は消灯され、プレスキャン動作が終了する。
【０１５７】
以上のように、本スキャンに先立つプレスキャン時においては、副走査方向における走査に伴ってライン画像の取得動作が繰り返し実行され、複数のライン画像が取得される。また、当該複数のライン画像のそれぞれに基づいて原稿の情報が取得され、当該情報に基づき条件Ｃ１，Ｃ２，Ｃ３の成否が判定される。
【０１５８】
そして、副走査方向において、条件Ｃ１，Ｃ２，Ｃ３のいずれもが成立しない範囲ＹＲＣ，ＹＲＥ，ＹＲＨ，ＹＲＪと条件Ｃ１，Ｃ２，Ｃ３のいずれかが成立する範囲ＹＲＢ，ＹＲＤ，ＹＲＦ，ＹＲＨ，ＹＲＪとで、光源の点灯ピッチが変更される。
【０１５９】
詳細には、条件Ｃ１，Ｃ２，Ｃ３のいずれもが成立しないときには、比較的大きな周期（ここでは「１０」ライン周期）による点灯動作を伴ってライン画像の取得動作が実行される。具体的には、範囲ＹＲＣ，ＹＲＥ，ＹＲＧ，ＹＲＩにおいては、比較的大きな周期による点灯動作等が実行される。したがって、スキャン時の漏出光に起因する眩しさを抑制することが可能である。
【０１６０】
一方、条件Ｃ１が成立するときには（すなわち、原稿の存在範囲（Ｘ方向範囲）の端部位置に関する急激な変化が存在する範囲（領域）に対しては）、比較的小さな周期（ここでは「２」ライン周期）による点灯動作を伴ってライン画像の取得動作が実行される。具体的には、範囲ＹＲＢ，ＹＲＪにおいては、原稿の存在範囲の＋Ｘ側端部位置の変化が所定割合よりも大きい旨が判定され、光源１１の点灯周期が「２」（ライン）に設定されて、ライン画像が取得される。そして、当該ライン画像に基づいて主走査方向における原稿の存在範囲が特定され、主走査方向における原稿の存在範囲に基づいて、原稿の情報（外形情報等）が取得される。
【０１６１】
このように、原稿の存在範囲（Ｘ方向範囲）の端部位置に関する急激な変化が存在しない副走査方向範囲（Ｙ方向範囲）においては、比較的大きな周期での点灯動作によって眩しさを抑制しつつ、一方、当該端部位置に関する急激な変化が存在する範囲においては、比較的小さな周期での点灯動作によって原稿の情報（原稿の画像情報、より詳細には原稿の外形情報）をより正確に取得することが可能である。
【０１６２】
同様に、条件Ｃ２が成立するときには（すなわち、原稿の存在範囲の大きさ（幅）に関する急激な変化が存在する範囲（領域）に対しては）、比較的小さな周期（ここでは「２」ライン周期）による点灯動作を伴ってライン画像の取得動作が実行される。具体的には、範囲ＹＲＤ，ＹＲＦにおいては、原稿の存在範囲の大きさ（幅）の変化が所定割合よりも大きい旨が判定され、光源１１の点灯周期が「２」（ライン）に設定されて、ライン画像が取得される。そして、当該ライン画像に基づいて主走査方向における原稿の存在範囲が特定され、主走査方向における原稿の存在範囲に基づいて、原稿の情報（外形情報）が取得される。特に、範囲ＹＲＦにおいては、突出部分ＰＲの外形情報をも正確に取得することができる。
【０１６３】
このように、原稿の存在範囲の大きさ（幅）に関する急激な変化が存在しない副走査方向範囲（Ｙ方向範囲）においては、比較的大きな周期での点灯動作によって眩しさを抑制しつつ、一方、原稿の存在範囲の大きさ（幅）に関する急激な変化が存在する範囲においては、比較的小さな周期での点灯動作によって原稿の情報（原稿の画像情報、より詳細には原稿の外形情報）をより正確に取得することが可能である。
【０１６４】
同様に、条件Ｃ３が成立するときには（すなわち、画像領域ＡＰの存在領域（範囲）に対しては）、比較的小さな周期（ここでは「２」ライン周期）による点灯動作を伴ってライン画像の取得動作が実行される。具体的には、範囲ＹＲＤ，ＹＲＦにおいては、原稿の画像領域ＡＰを含む可能性が高いと判定され、光源１１の点灯周期が「２」（ライン）に設定されて、ライン画像が取得される。そして、当該ライン画像に基づいて主走査方向における原稿の存在範囲が特定され、主走査方向における原稿の存在範囲に基づいて、原稿の情報（特に、原稿内の画像領域ＡＰの情報）が取得される。
【０１６５】
このように、原稿内において実質的な画像の存在確率（存在可能性）が低い部分（無地部分等）においては、比較的大きな周期での点灯動作によって眩しさを抑制しつつ、一方、原稿内において画像の存在確率が高い部分においては、比較的小さな周期での点灯動作によって原稿の情報（画像領域ＡＰの情報）をより正確に取得することが可能である。
【０１６６】
以上のように、第２実施形態によれば、副走査方向において、所定の条件Ｃ１，Ｃ２，Ｃ３のいずれもが成立しない範囲では比較的大きな第１の間隔（「１０」ライン間隔）での点灯動作によって眩しさを抑制しつつ、一方、所定の条件Ｃ１，Ｃ２，Ｃ３のいずれかが成立する範囲では比較的小さな第２の間隔（「２」ライン間隔）での点灯動作によって原稿の情報をより正確に取得することが可能である。
【０１６７】
なお、上記のプレスキャンの後、本スキャンが行われる。本スキャン動作時においては、プレスキャン時に取得された原稿外形情報等に基づいて、複数の発光素子に関する点灯範囲が決定される。具体的には、副走査方向（Ｙ方向）の各位置において、原稿の存在範囲（Ｘ方向範囲）に対応する位置の発光素子が点灯される。本スキャン動作時においては、所定本数おきではなく、全てのラインに関するライン画像が取得されることが好ましい。
【０１６８】
＜３．変形例等＞
以上、この発明の実施の形態について説明したが、この発明は上記説明した内容のものに限定されるものではない。
【０１６９】
たとえば、上記第１実施形態においては、第１の間隔Ｖ１として「１」ライン幅に相当する値が例示され、第２の間隔Ｖ２として「１０」ライン幅（１０本のラインの間隔）に相当する値が例示されているが、これに限定されない。たとえば、第１の間隔Ｖ１は、「２」ライン幅あるいは「３」ライン幅などのその他の値であってもよい。また、第２の間隔Ｖ２は、「５」ライン幅あるいは「２０」ライン幅などのその他の値であってもよい。より具体的には、たとえば、プレスキャン等において、原則として「２」本のライン間隔で読み取り動作が実行され、当該２本のラインよりも大きな本数（２０本）ごとに複数の部分光源の全てが点灯されるようにしてもよい。
【０１７０】
また、上記第２実施形態においては、比較的大きな周期（間隔）Ｖ２１として「１０」ラインが例示され（ステップＳ５８）、比較的小さな周期（間隔）Ｖ２２として「２」ラインが例示されている（ステップＳ５９）が、これに限定されない。比較的大きな周期Ｖ２１および比較的小さな周期Ｖ２２として、それぞれ、その他の値の周期が採用されるようにしてもよい。より具体的には、たとえば、周期Ｖ２１として「２０」が採用され、周期Ｖ２２として「１」が採用されるようにしてもよい。
【０１７１】
また、上記第２実施形態では、ステップＳ５１〜Ｓ５３にて、「２」ライン周期でスキャンを行う場合が例示されているが、これに限定されず、その他の周期（たとえば、「１」ライン周期、あるいは「５」ライン等）でスキャンが行われるようにしてもよい。
【０１７２】
また、上記第２実施形態においては、「３つの条件Ｃ１，Ｃ２，Ｃ３のいずれかが成立する」旨の条件を満たすか否かに応じて、２つの周期Ｖ２２，Ｖ２１が選択的に採用される場合が例示されているが、これに限定されない。たとえば、上記条件Ｃ１が成立するか否かのみに応じて、２つの周期Ｖ２２，Ｖ２１が選択的に採用されるようにしてもよい。同様に、上記条件Ｃ２が成立するか否かのみに応じて、２つの周期Ｖ２２，Ｖ２１が選択的に採用されるようにしてもよく、上記条件Ｃ３が成立するか否かのみに応じて、２つの周期Ｖ２２，Ｖ２１が選択的に採用されるようにしてもよい。あるいは、これら３つの条件Ｃ１，Ｃ２，Ｃ３の組合せに関する条件等の成否に応じて、２つの周期Ｖ２２，Ｖ２１が選択的に採用されるようにしてもよい。
【０１７３】
また、上記各実施形態においては、画像読取装置としてコピー装置を例示したが、これに限定されず、その他の種類の装置であってもよい。例えば、本発明に係る画像読取装置は、スキャン機能のみを有するスキャナ装置であってもよく、あるいは、逆にスキャン機能に加えて様々な機能（ファクシミリ通信機能等）をも備えた複合機（マルチ・ファンクション・ペリフェラルとも称する）などであってもよい。
【符号の説明】
【０１７４】
１  コピー装置
３  スキャナ部
１１  光源
１１Ｅ  発光素子
１２ａ，１２ｂ，１２ｃ  ミラー
１４  レンズ
１５  イメージセンサ
２０，２０ａ，２０ｂ  可動部
２３  スライダ駆動部
３１  原稿カバー
４４  プラテンガラス
ＡＰ  画像領域
【図１】
2013042439.tif 000009
【図２】
2013042439.tif 000010
【図３】
2013042439.tif 000011
【図４】
2013042439.tif 000012
【図５】
2013042439.tif 000013
【図６】
2013042439.tif 000014
【図７】
2013042439.tif 000015
【図８】
2013042439.tif 000016
【図９】
2013042439.tif 000017
【図１０】
2013042439.tif 000018
【図１１】
2013042439.tif 000019
【図１２】
2013042439.tif 000020